(57)【要約】【課題】音声報知機能付き加熱装置において、音声切設定でも簡単な操作で音声による操作ガイド報知を提供することにより、熟練者で必要なときだけ、音声報知を行うことで操作性の向上を図った加熱装置を供給すること。【解決手段】加熱部２と、制御手段１０と、入力手段８と、表示手段１１と、音声出力制御手段１３と、音声出力手段１４とを備え、音声出力制御手段１３は、音声切設定でも簡単な操作で、音声出力手段１４に音声を出力することが可能な加熱装置。【選択図】図１
2007071448.tif 000002
【特許請求の範囲】
【請求項１】
食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを格納する音声データ記憶部より音声データを選択する音声出力制御手段を備え、前記入力手段の情報に基づき前記音声出力制御手段により、前記音声出力手段から出力される音声を聞きなおす機能を有してなる加熱装置。  
【請求項２】
入力手段からの情報で、音声切に音量が設定されていても、所定の音量で一時的に操作ガイドを報知することができることを特徴とする請求項１記載の加熱装置。
【請求項３】
入力手段には、音声を認識しうる音声認識部を有し、音声切に音量が設定されていても、使用者が所定の文言を話すと、所定の音量で一時的に操作ガイドを報知することができることを特徴とする請求項１記載の加熱装置。
【発明の詳細な説明】
【技術分野】
【０００１】
本発明は、音声出力機能を有する加熱装置における音声出力制御方法に関するものである。
【背景技術】
【０００２】
近年、調理機器などの加熱装置にマイクロコンピュータを搭載することが広く行われており、料理に応じた最適な条件で制御できるように、複数の動作制御プログラムが内蔵されている。そのため、工程の多い複雑な調理が初心者でもできるように、音声出力機能を用いて、調理ガイドを行うものがある（例えば、特許文献１参照）。しかしながら、熟練者になってくると、煩わしくなるため、標準ガイドと簡単ガイドを有して、初心者は標準ガイド、熟練者は簡単ガイドを用いることにより操作性を向上させている（例えば、特許文献２参照）。
【０００３】
また、調理の各工程において細かく指示できるように音声出力で報知しているものもある（例えば、特許文献３参照）。
【０００４】
さらに、煩わしさに応じて、音声出力の音量を可変可能な構成や、不要な人は音声を切る状態に設定できるようにするのは、公知の技術である。
【特許文献１】特公昭６０−５６９７７号公報
【特許文献２】実公平７−１２８０２号公報
【特許文献３】特開２００３−１３０３６０号公報
【発明の開示】
【発明が解決しようとする課題】
【０００５】
しかしながら、前記従来の構成では、音声を切りに設定した場合、音声ガイドが一切報知されないため、操作手順に困り、操作ガイドを聞けるように音量設定を再度実施したうえで、操作ガイドを音声で確認する必要がある。さらには通常音声ガイドを必要としない熟練者にとっては、分りきった内容を音声でガイドさせる必要はないので、再度音声を切りにする操作が必要となってしまうという、極めて、操作性が悪くなるという課題を有していた。
【０００６】
本発明は、前記従来の課題を解決するもので、誰でも使いやすく、必要なときに操作ガイドを安易に聞くことができ、操作性を向上することができる加熱装置を提供することを目的とする。
【課題を解決するための手段】
【０００７】
前記従来の課題を解決するために、本発明の加熱装置は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを格納する音声データ記憶部より音声データを選択する音声出力制御手段を備えている。
【０００８】
さらに音声出力手段に音声を出力した後でも、前記音声出力制御手段で音声を聞きなおす機能を有している。  
【０００９】
これによって、音声報知した内容が聞き取れなくても、報知した音声内容を聞きなおすことが可能になり、誰でも操作しやすい加熱装置を提供することができる。
【００１０】
また、入力手段からの情報により、音声切に音量が設定されていても、所定の音量で操作ガイドを報知する機能を有しており、音声切にしていても、所定の単純な操作を行えば、所定の音量で一時的に操作ガイドが報知されるので、通常は音声ガイドを必要としない熟練した使用者が操作方法を迷った時に、一時的に音声ガイドによる操作方法の情報を得ることができ、音声を鳴らす設定をし、操作ガイド聴取し、音声切に再度設定を戻すという設定の煩わしさがなくなり、大幅に操作性を向上させることができる。
【００１１】
また、入力手段には、音声を認識しうる音声認識部を有し、音声切に音量が設定されていても、使用者が所定の文言を話すと、所定の音量で一時的に操作ガイドを報知する機能を有しており、特別な操作を行うことなく、操作ガイドを聴取することができ、さらなる操作性の向上を図ることができる。
【発明の効果】
【００１２】
本発明の加熱装置は、音声ガイドにより操作手順を報知するだけでなく、利用者に応じていつでも操作ガイドを音声で聞くことができるため、誰でも簡単に操作することが可能になり、操作性の向上を図ることができる。
【発明を実施するための最良の形態】
【００１３】
第１の発明は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを格納する音声データ記憶部より音声データを選択する音声出力制御手段とを備えていので、音声出力手段に音声を出力した後でも、前記音声出力制御手段により、前記音声出力手段から出力される音声を聞きなおす機能を備えることにより、誰でも使いやすく、操作性の向上を図ることができる。
【００１４】
第２の発明は、特に、第１の発明の加熱装置において、入力手段の情報により、音声切に音量が設定されていても、所定の音量で一時的に操作ガイドを報知することができる機能を有しているため、音声を切にしている場合に、操作ガイドが聞けず、困ったときに、音量設定し直す必要なく、単純な操作で一時的に音声ガイドを聞くことができるので、音声を鳴らす設定をし、操作ガイド聴取し、音声切に再度設定を戻すという設定の煩わしさがなくなり、大幅に操作性を向上させることができる。
【００１５】
第３の発明は、特に、第１の発明の加熱装置において、入力手段に、音声を認識しうる音声認識部を有し、音声切に音量が設定されていても、使用者が所定の文言を話すと、所定の音量で一時的に操作ガイドを報知することができる機能を有しているため、音声を切にしている場合に、操作ガイドが聞けず、困ったときに、音量設定し直す必要なく、操作することなく、一時的に音声ガイドを聞くことができるので、音声を鳴らす設定をし、操作ガイド聴取し、音声切に再度設定を戻すという設定の煩わしさがなくなり、大幅に操作性を向上させることができる上、キー数を増やすことなく構成でき、見た目の煩雑さもなくすことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における加熱装置の詳細ブロック図を示すものである。
【００１８】
図２に、代表的な加熱装置である電子レンジの外観構成図、図３に操作部を示す。
図２において、電子レンジの本体１内には、加熱室(加熱部)２が設けられている。本体１の前面には、メニューの選択等を行う複数のキー３と、調理時間等の設定を行うダイヤル１５、１７からなる操作部５と、メニューや調理時間等の表示を行う表示部６を設けている。一般的な電子レンジと同じである。
【００１９】
以上のように構成された加熱装置について、図１、図２および図３を用いて以下にその動作、作用を説明する。
【００２０】
まず、操作部５にあるレンジキー７を押下すると、入力手段８は、マイクロコンピュータ９（以下マイコンと称す）内にある制御手段１０に信号を送り、制御手段１０は、初期出力値を選択し、表示手段１１に信号を送り、表示手段１１は表示部６に出力表示を行うと共に、制御手段１０は、次の操作手順を選択し、音声出力制御手段１３に信号を送信し、音声出力手段１４は、電子レンジ内部に取り付けられたスピーカ（図示せず）により音声を報知する。ただし、熟練者にとって、すぐに音声を報知させると煩わしいため、一定時間経過した後に音声を報知するようにしている。
【００２１】
ここで、ダイヤル１５が回されると、入力手段８から、制御手段１０に信号が送られ、制御手段１０は、表示手段１１に信号を送り、表示手段１１は表示部６に変更された出力表示を行う。同時に、制御手段１０は、電子レンジの出力設定状態が変化したため、次の操作手順を音声出力制御手段１３に信号を送信し、音声出力制御手段１３は、音声データ記憶部１２から必要な音声データを取り出し、音声出力手段１４に音声データを送信し、音声出力手段１４は電子レンジ内部に取り付けられたスピーカ（図示せず）により音声を報知する。
【００２２】
続いて、操作部５内のダイヤル１７により、調理時間が設定され、スタートキー１８が押下されると、入力手段８から制御手段１０に信号が送られ、制御手段１０は、高周波発振器１９を制御して、加熱を開始する。
【００２３】
次に、音声報知について説明する。前述のように操作キーが入力された後、一定時間経過後に音声報知を行うが、すぐに音声ガイドを聞きたい場合、音声ボタン２０を押すことにより、音声ガイドが報知される。音声ガイドが報知後、音声を聞きなおす場合は、音声ボタン２０を押せば、再度聞きなおすことができる。
【００２４】
ここで、音声で分りきった操作ガイドが報知されるのを煩わしいと感じる利用者には、音声を切にすることにより、操作ガイド音声がならない設定をすることができる。
【００２５】
音声切に設定すると、一切の音声を報知しないため、熟練者であっても、操作が途中で分らなくなり困ってしまう、あるいは、未使用の機能を使用する場合は、設定操作ができるか不安に陥ってしまう場合が想定される。
【００２６】
この場合に、入力手段８内にある音声ボタン２０を押すと、必要な操作ガイドを所定の音量で報知することとする。操作ガイドは必要な情報を報知後、次なる操作をしても、音声切に設定されていれば、音声を鳴らすことはない。つまり音声ボタン２０を押したときのみ、操作にまつわる必要な情報を音声で一時的に鳴らすことができる。
【００２７】
あるいは、音声認識機能を入力手段８に設ければ、例えば「音声」等の任意の文言を利用者が加熱装置に向けて話すことにより、入力手段８から制御手段１０に信号が送られ、操作にまつわる必要な情報を音声で一時的に報知することが出来るようになる。
【００２８】
以上のように本実施の形態においては、音声を切にしていても、簡単な操作により一時的に音声による操作ガイドが一時的に報知すること可能になるため、操作性が大幅に向上した加熱装置を提供することができる。
【００２９】
（実施の形態２）
図４は、本発明の第２の実施の形態における加熱装置の音声出力制御処理のフローチャートを示すものである。
【００３０】
図４において、入力手段８から操作キー、ダイヤル、ドアの開閉等の入力信号が入力されるか、調理が終了するなどの状態変化等がある場合、マイコン９は、この音声出力制御処理の中で、音声出力の処理を行う。
【００３１】
ステップＳ１で、音声が切かどうかを判断し、切りでない場合、Ｓ２に移行し、操作キーなどによる状態変化があるか否かの判断がなされる。状態変化があればステップＳ３に移行する。ステップＳ３では、各メニューや状態に応じた状態番号を設定する。続いて、ステップＳ４に移行し、状態番号に応じた音声パターンを取得する。これにより報知する内容が決定する。次にステップＳ５に移行し、状態番号に応じた音声報知するまでの待ち時間がセットされる。なお、ステップＳ４とステップＳ５はどちらが先でも構わない。
【００３２】
ステップＳ５で音声報知内容および音声報知までの待ち時間がセットされると、ステップＳ１に戻り、音声が切でなければステップＳ２に移行する。待ち時間中にキー操作等により状態が変化すれば、再度ステップＳ３に移行し、次の音声が設定される。状態変化がなければ、ステップＳ６に移行し、待ち時間が経過したか否かの判断を行う。経過していなければ、ステップＳ１に移行し、繰り返す。
【００３３】
ステップＳ６で待ち時間が経過すれば、ステップＳ７に移行し、音声出力手段１４にデータ送信し、音声報知を行う。その後Ｓ８において、一時音声モードを解除する処理を行う。この一時音声モードは、後に説明する。
【００３４】
音声が切に設定されていれば、ステップＳ１で、音声が切かどうかを判断し、ステップＳ９に移行する。ステップＳ９では、音声ボタン２０が押下されるかどうかを判定する。音声ボタン２０が押されると、ステップＳ１０に移行し、一時音声モードに設定する。この一時音声モードとは、音声切ではあるが、所定の音量で音声を鳴らす状態をさすものである。その後、ステップＳ３、ステップＳ４に移り、その時点における音声を鳴らす設定を行う。さらにステップＳ５に移り、待ち時間を設定するが、待ち時間は通常の音声ガイドを鳴らす場合と、音声ボタンにて鳴らす場合とで別々の待ち時間を設定できるものとする。その理由は音声ボタンにて鳴らす場合は、すぐに音声ガイドが聞きたい場合と想定されるため、待ち時間を短く設定したいためである。
【００３５】
その後、ステップＳ６で待ち時間の間はステップＳ１に戻り、音声を鳴らすのを遅らせるようにする。ステップＳ１では音声切であるので、ステップＳ９に移行する。
【００３６】
ステップＳ９では音声ボタン２０の押下がなくなっていれば、ステップＳ１１に移行する。ステップＳ１１では、一時音声モードであれば、ステップＳ６に移行し、音声を鳴らすための処理に移行する。一時音声モードでなければ、ステップＳ１に戻すものとする。
【００３７】
この構成とすることにより、本実施の形態においては、音声を切にしていても、簡単な操作により一時的に音声による操作ガイドが一時的に報知すること可能になるため、操作性が大幅に向上した加熱装置を提供することができる。
【００３８】
（実施の形態３）
図５は、本発明の第３の実施の形態における加熱装置の音声出力制御処理のフローチャートを示すものである。
【００３９】
実施の形態２における説明では、音声切の状態で音声ボタン２０を押すと所定の音量にて音声ガイドを報知することを説明したが、ここでは入力手段に音声認識機能を装着した場合の説明を行う。図４と図５との違いは、ステップＳ９がステップＳ１２に置き換わっただけで、他のステップＳ１からステップＳ８ならびにステップＳ１０からステップ１１までは同じである。ステップＳ９は、音声ボタンをおしたか、という判断であるが、ステップ１２は音声認識で、「音声」という文言を認識したか、という判断に変わっている。
【００４０】
要するに「音声」という文言を発すれば、音声切に設定しても、次の操作を音声で報知できるようになる。もちろん「音声」という文言に特化した必要はなく、文言は任意に選択できるものとする。
【００４１】
これらの構成により、本実施の形態においては、音声を切にしていても、簡単な操作により一時的に音声による操作ガイドが一時的に報知すること可能になるため、操作性が大幅に向上した加熱装置を提供することができる。
【産業上の利用可能性】
【００４２】
以上のように、本発明にかかる加熱装置は、音声切に設定されていても、簡単な操作をすれば、いつでも必要な操作ガイド音声が一時的に報知されるため、必要なときに操作ガイドを聞くことができ、音量設定操作の再設定の手続きを取るという煩わしさがなく、操作性の大幅な向上を図ることができる。
【図面の簡単な説明】
【００４３】
【図１】本発明の実施の形態１における加熱装置の詳細ブロック図
【図２】本発明の実施の形態１における加熱装置の外観構成図
【図３】本発明の実施の形態１における加熱装置の操作部の外観図
【図４】本発明の実施の形態２における加熱装置の音声出力制御処理のフローチャート
【図５】本発明の実施の形態３における加熱装置の音声出力制御処理のフローチャート
【符号の説明】
【００４４】
２  加熱部
８  入力手段
１０  制御手段
１１  表示手段
１２  音声データ記憶部
１３  音声出力制御手段
１４  音声出力手段
【図１】
2007071448.tif 000003
【図２】
2007071448.tif 000004
【図３】
2007071448.tif 000005
【図４】
2007071448.tif 000006
【図５】
2007071448.tif 000007